(57)【要約】【課題】断面が略コ字状であってその両脚の先端部付近に接触部を有するクリップ形端子と接圧ばねを有する端子装置をブスバーに簡単に取り付けできるようにする。【解決手段】断面が略コ字状端子板１６の腕１７，１８を別々にたわむことができるように形成し，それぞれの腕の先端部付近を屈曲して接触部１７ｂ，１８ｂを設け，それぞれの接触部の対向間隔をせばめる方向に付勢する接圧ばね２１，２３を取り付け，ブスバー１２の長手方向の端縁１２ｄから接触を開始させたとき，一方の腕１７の接触部１７ｂは他方の腕１８の接触部１８ｂがブスバー１２の端縁１２ｄから該ブスバーの平面部に略到達した後，ブスバー１２の端縁１２ｄと接触するように設けられている。【選択図】  図７
2005019199.tif 000002
【特許請求の範囲】
【請求項１】
折り曲げることによって対向する腕が形成され前記腕の先端部付近に対向するように形成された接触部を有する端子板と，前記接触部の対向間隔をせばめる方向に付勢する接圧ばねとを備え，ブスバーの長手方向の端縁から前記接触部が接触を始め前記ブスバーの巾方向の表面をスライドして前記ブスバーを挟み付けるように接触する端子装置において，
互いに隣り合い，且つ，互いに独立してたわむように設けられた少なくとも２対の前記腕と，
前記腕のそれぞれの対ごとに取り付けられた前記接圧ばねとを有し，
前記２対の腕のうち一方の対の腕の前記接触部は，前記端子装置を前記ブスバーに接触させるとき，他方の対の腕の前記接触部が前記ブスバーの端縁から該ブスバーの平面部に略到達した後前記ブスバーの端縁と接触するように設けられていることを特徴とする端子装置。
【請求項２】
前記２対の腕は一体部品として形成され，隣り合う腕はスリットによって互いに分離されていることを特徴とする請求項１の端子装置。
【発明の詳細な説明】
【０００１】
【発明の属する技術分野】
本発明は，配電盤などに設けられるブスバーを挟むように配置して該ブスバーに接続されるクリップ形の端子装置に関する。
【０００２】
【従来の技術】
回路遮断器及びこの回路遮断器を含む配電盤の従来の技術がＷＯ０１／７６０３１号公報に開示されている。この回路遮断器は，折り曲げることによって対向する腕が形成されこの腕の先端部付近に対向するように形成された接触部を有する端子板と，この接触部の対向間隔をせばめる方向に付勢する接圧ばねとを有するクリップ端子を裏面に備えたものである。また配電盤には，三相の銅板製のブスバーが，互いに平行して，かつ，巾方向が配電盤の正面側から奥側にむき，長手方向が垂直方向なるように配電盤の裏面板に設けられている。さらに，この配電盤は裏面板と対向するように遮断器取付板を有している。
【０００３】
回路遮断器は，取付に際して，遮断器取付板に形成されている開口部からクリップ端子を挿入させる。この移動中に，クリップ端子の端子板の先端付近に位置する接触部がブスバーの長手方向の端縁と接触し，接圧ばねの作用に抗して対向間隔を広げながらブスバーの端縁を摺動する。そして，接触部がブスバーの平面部に達して安定した接触が得られる。この状態になったとき，回路遮断器はその取付面が遮断器取付板に達しており，ねじで遮断器取付板に固定できる構造となっている。
【０００４】
【特許文献１】ＷＯ０１／７６０３１号公報
【０００５】
【発明が解決しようとする課題】
上述した公報に開示されている従来の技術は，比較的小定格電流の回路遮断器に対応したものであってクリップ端子の端子板の対向する腕は一対で構成され，ブスバーとの間の接触圧力は小さいものでよかった。したがって，接圧ばねは作用力の小さいもので十分であるため簡単に回路遮断器を配電盤に装着できた。
しかし，比較的定格電流の大きい回路遮断器にあっては，大きな作用力を有する接圧ばねが必要であり，取り付けるとき大きな力が必要であるという問題があった。
したがって，本願発明は，作用力が大きい接圧ばねを必要とする回路遮断器を簡単にブスバーに接続できる端子装置を提供することを目的とする。
【０００６】
【課題を解決するための手段】
上記の問題を解決するために，請求項１の発明は，折り曲げることによって対向する腕が形成され腕の先端部付近に対向するように形成された接触部を有する端子板と，接触部の対向間隔をせばめる方向に付勢する接圧ばねとを備え，ブスバーの長手方向の端縁から接触部が接触を始めブスバーの巾方向の表面をスライドしてブスバーを挟み付けるように接触する端子装置において，互いに隣り合い，且つ，互いに独立してたわむように設けられた少なくとも２対の腕と，腕のそれぞれの対ごとに取り付けられた接圧ばねとを有し，２対の腕のうち一方の対の腕の接触部は，端子装置をブスバーに接触させるとき，他方の対の腕の接触部がブスバーの端縁から該ブスバーの平面部に略到達した後ブスバーの端縁と接触するように設けられていることとしている。
このような構成の端子装置は，ブスバーに接触させる動作において，他方の対の腕に取り付けられた接圧ばねのたわみ量が大きくなり一定となってから，一方の対の腕に取り付けられた接圧ばねのたわみ量を大きくするような動作となり，二つのばねを同時にたわませる力を必要としない。
【０００７】
請求項２の発明は，請求項１の発明の構成に加えて，２対の腕は一体部品として形成され，隣り合う腕はスリットによって互いに分離されていることとしているため，請求項１の端子装置の作用のほか部品を簡単に製造できる。
【０００８】
【発明の実施の形態】
本発明の実施の形態を，図１ないし図８に示されている実施例において説明する。
図１及び図２は，本実施例の端子装置を組み込んだ３極形の回路遮断器１を取り付けた配電盤２を正面から見た部分図及び図１をＡ−Ａから見た図である。回路遮断器１は遮断器本体３と端子ベース４とからなり，遮断器本体３は電源側の端子５ａ，５ｂ，５ｃ，それぞれ電源側端子と同極の負荷側の端子６ａ，６ｂ，６ｃ（以下総称して負荷側端子６という。）及び内蔵される開閉接触子を開閉操作するハンドル７を備える。端子ベース４は遮断器本体３の裏面に配置され，４本のねじ８によって遮断器本体３と一体となっている。端子ベース４の裏面には，後述するクリップ形の端子装置９ａ，９ｂ，９ｃがねじ１０ａ，１０ｂ，１０ｃ（以下総称してねじ１０という。）によってそれぞれ各極に対応して端子ベースに４固定されている導体１１ａ，１１ｂ，１１ｃに取り付けられており，この導体１１ａ，１１ｂ，１１ｃ（以下総称して導体１１という。）を介してそれぞれ電源側端子５ａ，５ｂ，５ｃ（以下総称して電源側端子５という。）に接続されている。
【０００９】
一方，配電盤２には，回路遮断器１を取り付けたときその端子装置９ａ，９ｂ，９ｃが接触する，それぞれブスバー１２ａ，１２ｂ，１２ｃ（以下総称してブスバー１２という。）が設けられている。ブスバー１２は，板厚がＴの長い平板状で，その長手方向の端縁１２ｄの断面が半円状に形成されている。３本のブスバー１２は，その巾方向が配電盤の正面側から奥側（図２において上下方向）に向くとともに，図１において長手方向が上下方向になるようにブスバーサポート１３を介して配電盤２の裏面板２ａに取り付けられている。このように取り付けられた３本のブスバー１２は，取付ピッチがＰなるように互いに平行であるとともに，それぞれの端縁１２ｄが同一平面Ｈ−Ｈに位置している。
また，この配電盤２には裏面板２ａと対向する遮断器取付板２ｂが設けられており，遮断器取付板２ｂは，図１においてブスバー１２が見えるように縦に長い開口部２ｃが形成されている。回路遮断器１は電源側端子５と負荷側端子６を結ぶ線がブスバー１２と直交するように配置され，それぞれ２本のガイドピン１４とねじ１５によって遮断器取付板２ｂに固定されている。
【００１０】
図３は端子ベース４を図２のＢ方向から見た図であって，互いに同一構成の端子装置９ａ，９ｂ，９ｃ（特記しない限り，以下総称して端子装置９という。）が，ブスバー１２の配置ピッチＰと同じピッチで配置されている。
図４及び図５は端子装置９を端子ベース４から取り出して，図３においてそれぞれＣ方向及びＤ方向から見た図である。端子装置９は，取付面１６ａと取付面１６ａから折り曲げて形成されたそれぞれ対向する一対の腕１７及び一対の腕１８を有する薄い銅板製の端子板１６を有している。腕１７及び腕１８はスリット１９によって２分割されているため，一方の腕がたわんでも他方の腕にほとんど影響を与えない。
対向する一対の腕１７のそれぞれは，スリット２０によって途中から２分割されて形成された一対の延長腕１７ａを有している。延長腕１７ａは，互いに対向する延長腕１７ａと協働して先端に向かってハ字状を形成するようにその先端部付近において屈曲部を有している。この屈曲部における延長腕１７ａの対向面に接触部１７ｂが形成されている。
【００１１】
この腕１７はそれぞれの延長腕１７ａに対応して孔１７ｃを有し，ピアノ線からなるリング状の接圧ばね２１が孔１７ｃを挿通して両端が対向する延長腕１７ａの屈曲部に位置するように取り付けられている。この接圧ばね２１の作用により，延長腕１７ａ及び腕１７が接触部１７ｂの対向間隔をせばめる方向に付勢されている。同様に，腕１８もスリット２２によって途中から２分割され，先端部付近において屈曲部を有する一対の延長腕１８ａを有し，延長腕１８ａにも接触部１８ｂが形成されている。また，腕１８にも接圧ばね２３が孔１８ｃを挿通して取り付けられ，延長腕１８ａ及び腕１８が接触部１８ｂの対向間隔をせばめる方向に付勢されている。なお，端子装置９の対向する接触部１７ｂ及び接触部１８ｂのそれぞれの対向間隔ｄ１は，互いにほぼ等しく，いずれもブスバー１２の板厚Ｔより小さくなるように構成されている。また，接触部１７ｂは，接触部１８ｂより寸法ｄ２だけ先端部側に位置するように構成されている。
【００１２】
図６，図７，図８を参照して，回路遮断器１を配電盤２に取り付けるときの端子装置９とブスバー１２の接触の動作を説明する。図６は，取付の途中において，端子装置９の腕１７ａの接触部１７ｂがブスバー１２の端縁１２ｄに接触した瞬間の状態を示した部分図である。図６の状態から回路遮断器１を取付方向に移動させると端子装置９が下方に移動し，接触部１７ｂがブスバーの半円状端縁１２ｄの外面を摺動する。この摺動によって，接圧ばね２１に抗して接触部１７ｂの対向間隔が拡がり，接圧ばね２１の作用力も大きくなる。しかし，腕１７と腕１８が分割されているため，腕１８の接触部１８ｂの対向間隔はほとんど変化しない。すなわち，接圧ばね２３のたわみに変化が生じない。
【００１３】
図７は，回路遮断器１の移動が進み，腕１７の対向する接触部１７ｂがブスバー１２の半円状の端縁１２ｄから両側面の平面部に達したときの状態を示す図である。このとき接触部１８ｂが半円状の端縁１２ｄに接触した瞬間にある。すなわち，前述した腕１７の接触部１７ｂと腕１８の接触部１８ｂとの位置的なずれｄ２が，腕１７の接触部１７ｂがブスバー１２の平面部に略達してから腕１８の接触部１８ｂが半円状の端縁１２ｄを摺動するような寸法になるように構成されている。
【００１４】
この状態でさらに回路遮断器１を移動させると，腕１８の接触部１８ｂがブスバー１２の端縁１２ｄの半円状の外面を摺動し，接圧ばね２３に抗して接触部１８ｂの対向間隔が拡がり，接圧ばね２３の作用力も大きくなる。この移動中，腕１７に関しては，接触部１７ｂはブスバー１２の平面部を摺動するだけであり，接圧ばね２１のたわみに変化がなく摺動摩擦力だけが回路遮断器１を移動させる抵抗力となる。
図８は，回路遮断器１の移動が進み，腕１８の接触部１８ｂがブスバー１２の平面部に達してさらに所定の位置まで平面部を摺動した図であり，端子板１６の全ての接触部が安定してブスバー１２と接触した状態にあり，図２に示された状態に相当する。
【００１５】
以上説明したように，端子装置９は，図８の状態において，合計８点の接触部（４点の接触部１７ｂ及び４点の接触部１８ｂ）がブスバー１２と接触し，これらの各接触部に電流が分流するため接触部におけるジュール熱の発生が小さくなり，より大きな電流を流すことができる。そして，回路遮断器１が図６の状態から図８の状態へ移動する間，接圧ばね２１と接圧ばね２３の作用力が同時に大きくなることがないように接触のタイミングをずらしている。このため，例えば，腕１８の構成の部分を削除して腕１７の構成のもの２組で構成したもののように，全ての接触部が同時に接触できるような簡単な構造のものよりもより小さい力で回路遮断器１を配電盤に取り付けることができる。
【００１６】
なお，この実施例では，腕１７と腕１８が一体部材として構成されているが，別部材とし個々に端子ベース４の導体１０に取り付けるようにしてもよい。また，電流の値に応じて，接触部の点数は半分に減少するが，腕１７ａ及び１８ａを途中から２分割せずそのまま延長し先端部付近を屈曲して接触部を設けてもよい。
また，上記説明では，この実施例の端子装置を取り付けることができるブスバーは，その長手方向の端面の断面が半円状であるが，台形状のものでもよい。
【００１７】
【発明の効果】
本発明は，以上説明した形態で実施され，折り曲げることによって対向する腕が形成され腕の先端部付近に対向するように形成された接触部を有する端子板と，接触部の対向間隔をせばめる方向に付勢する接圧ばねとを備え，ブスバーの長手方向の端縁から接触部が接触を始めブスバーの巾方向の表面をスライドしてブスバーを挟み付けるように接触する端子装置において，互いに隣り合い，且つ，互いに独立してたわむように設けられた少なくとも２対の腕と，腕のそれぞれの対ごとに取り付けられた接圧ばねとを有し，２対の腕のうち一方の対の腕の接触部は，端子装置をブスバーに接触させるとき，他方の対の腕の接触部がブスバーの端縁から該ブスバーの平面部に略到達した後ブスバーの端縁と接触するように設けられているように構成したため，他方の対の腕に取り付けられた接圧ばねのたわみ量が大きくなり一定となってから，一方の対の腕に取り付けられた接圧ばねのたわみ量を大きくするような動作となり，二つのばねを同時にたわませる力を必要としないため，取付時に大きな力を必要としないため簡単にブスバーに取り付けることができるという効果を奏する。
【図面の簡単な説明】
【図１】本発明による端子装置の実施例を組み込んだ３極形の回路遮断器を取り付けた配電盤を正面から見た部分図である。
【図２】図１をＡ−Ａから見た図である。
【図３】図１の回路遮断器の本発明による端子装置の実施例を取り付けた端子ベースを図２のＢから見た図である。
【図４】図３の実施例の端子装置を図３のＣ方向から見た図である。
【図５】図３の実施例の端子装置を図３のＤ方向から見た図である。
【図６】図１の回路遮断器を配電盤に取り付けるときの図３の端子装置の接触の動作を説明する部分図である。
【図７】図１の回路遮断器を配電盤に取り付けるときの図３の端子装置の接触の動作を説明する部分図である。
【図８】図１の回路遮断器を配電盤に取り付けるときの図３の端子装置の接触の動作を説明する部分図である。
【符号の説明】
１  回路遮断器
２  配電盤  裏面板２ａ  遮断器取付板２ｂ  開口部２ｃ
３  遮断器本体
４  端子ベース
５  電源側の端子
６  負荷側の端子
７  ハンドル
８  ねじ
９  端子装置
１０  導体
１１  ねじ
１２  ブスバー
１３  ブスバーサポート
１４  ガイドピン
１５  ねじ
１６  端子板  取付面１６ａ
１７，１８  腕
１７ａ，１８ａ  延長腕
１７ｂ，１８ｂ  接触部
１７ｃ，１８ｃ  孔
１９，２０，２２  スリット
２１，２３  接圧ばね
【図１】
2005019199.tif 000003
【図２】
2005019199.tif 000004
【図３】
2005019199.tif 000005
【図４】
2005019199.tif 000006
【図５】
2005019199.tif 000007
【図６】
2005019199.tif 000008
【図７】
2005019199.tif 000009
【図８】
2005019199.tif 000010